(57)【特許請求の範囲】
【請求項１】
ロール状記録媒体の中空軸部の両端にそれぞれ填め込めて前記ロール状記録媒体を押さえる軸芯が形成された押さえ部を備えたロール状記録媒体の保持手段において、
前記ロール状記録媒体の中空軸部の内径が前記軸芯の径と異なる場合に、当該内径の中空軸部に対応して嵌め込まれる、前記押さえ部に取り付けるように構成されたアダプタを備え、
前記押さえ部には、前記軸芯が前記ロール状記録媒体の中空軸部が嵌め込まれた際に径方向に撓む第１の弾性部材が設けられ、且つ、係止穴が形成されており、
前記アダプタには、前記ロール状記録媒体の中空軸部が嵌め込まれた際に径方向に撓む第２の弾性部材と係止爪とが設けられており、
前記アダプタを前記押さえ部に取り付けるときは、前記軸芯を包被するように嵌め込めて、前記係止爪を前記係止穴に係止させることを特徴とするロール状記録媒体の保持手段。
【請求項２】
前記押さえ部には、前記第１の弾性部材が、前記アダプタには、前記第２の弾性部材が、それぞれ複数設けられており、前記押さえ部には、前記各第１の弾性部材間に、前記アダプタには、前記各第２の弾性部材間に、それぞれ軸方向に延びる切り込みが形成されていることを特徴とする請求項１に記載のロール状記録媒体の保持手段。
【請求項３】
請求項１または２に記載のロール状記録媒体の保持手段を備えたことを特徴とする記録装置。
【発明の詳細な説明】
【０００１】
【発明の属する技術分野】
本発明は、ロール状記録媒体を保持する保持手段及びその保持手段を備えた記録装置に関する。
【０００２】
【従来の技術】
一般に、従来の記録装置の１つである大型のプリンタは、記録媒体である例えば記録用のロール紙を供給する給紙部、給紙されたロール紙に情報を記録する記録部、記録されたロール紙を排出する排紙部がこの順で上部から配設された構成となっている。このような大型の例えばインクジェット式プリンタを使用する場合、ユーザは、ロール紙を給紙部に収納してロール紙の先端部を引き出す。そして、ロール紙の先端部を用紙搬送面として作用する平坦な給紙ガイド上を通し、紙送りローラと従動ローラとの間に挟み込んでインクジェット式プリンタを起動する。
【０００３】
すると、インクジェット式プリンタは、紙送りローラを回転させてロール紙を用紙搬送案内面として作用する平坦なプラテン上に送り出しながら、記録ヘッドのノズル開口からインク滴を吐出して情報をロール紙上に記録する。そして、排紙ローラを回転させてロール紙を用紙搬送面として作用する平坦な排紙ガイド上を通して用紙受けに排出する。
【０００４】
【発明が解決しようとする課題】
上述した従来のインクジェット式プリンタの給紙部にロール紙を収納する際は、先ずスピンドルをロール紙の中空軸部に挿入して貫通させ、次に一対のフランジ状のロール紙押さえをスピンドルの両端から填め込んでロール紙の中空軸部の両端に填め込む。そして、スピンドルの両端を給紙部に配設されている一対のスピンドル受けに懸架している。
【０００５】
このインクジェット式プリンタは、内径２インチの中空軸部を有するロール紙と内径３インチの中空軸部を有するロール紙を使用することが可能であり、使用するロール紙によって専用のロール紙押さえを使用するようになっている。このため、嵩の大きいロール紙押さえの保管・管理は煩わしいものとなっている。
【０００６】
本発明は、上記のような課題に鑑みなされたものであり、その目的は、中空軸部の内径が異なるロール状記録媒体を保持することができる保持手段及びこの保持手段を備えた記録装置を提供することにある。
【０００７】
【課題を解決するための手段】
上記目的達成のため、本発明の請求項に係るロール状記録媒体の保持手段は、前記ロール状記録媒体の中空軸部の両端にそれぞれ填め込めて前記ロール状記録媒体を押さえる軸芯が形成された押さえ部を備えたロール状記録媒体の保持手段において、前記ロール状記録媒体の中空軸部の内径が前記軸芯の径と異なる場合に、当該内径の中空軸部に対応して嵌め込まれる、前記押さえ部に取り付けるように構成されたアダプタを備え、前記押さえ部には、前記軸芯が前記ロール状記録媒体の中空軸部が嵌め込まれた際に径方向に撓む第１の弾性部材が設けられ、且つ、係止穴が形成されており、前記アダプタには、前記ロール状記録媒体の中空軸部が嵌め込まれた際に径方向に撓む第２の弾性部材と係止爪とが設けられており、前記アダプタを前記押さえ部に取り付けるときは、前記軸芯を包被するように嵌め込めて、前記係止爪を前記係止穴に係止させることを特徴としている。これにより、中空軸部の内径が異なるロール状記録媒体毎に保持手段の押さえ部を揃えておく必要がなくなり、また、アダプタは少なくとも押さえ部より小型に構成することができるので、その管理や保管が容易になる。
【０００８】
また、本発明の請求項に係るロール状記録媒体の保持手段は、前記押さえ部には、前記第１の弾性部材が、前記アダプタには、前記第２の弾性部材が、それぞれ複数設けられており、前記押さえ部には、前記各第１の弾性部材間に、前記アダプタには、前記各第２の弾性部材間に、それぞれ軸方向に延びる切り込みが形成されていることを特徴としている。これにより、アダプタの径方向の断面はＣ字形状となってその隙間分だけ径方向に弾性変形し易くなるので、ロール状記録媒体の中空軸部の内径のばらつきに対応することができる。
【０００９】
上記目的達成のため、本発明の請求項に係る記録装置では、上記各ロール状記録媒体の保持手段を備えたことを特徴としている。これにより、上記各作用を奏する記録装置を提供することができる。
【００１０】
【発明の実施の形態】
以下、図面に基づいて本発明の実施の形態について詳細に説明する。
【００１１】
図１は、本発明の実施の形態に係る記録装置の１つであるインクジェット式プリンタの構成例を示す斜視図であり、図２は、そのインクジェット式プリンタの主要部の内部構成例を示す斜視図である。図１及び図２に示すインクジェット式プリンタ１００は、例えばＪＩＳ規格のＡ１判やＪＩＳ規格のＢ１判といった比較的大型のサイズの記録用紙にまで記録できる大型のプリンタであり、給紙部１１０、記録部１２０、排紙部１３０、脚部１４０がこの順で上部から配設された構成となっている。記録部１２０と排紙部１３０は本体として一体化されており、給紙部１１０及び脚部１４０とそれぞれ分離可能に構成されている。
【００１２】
給紙部１１０は、図１に示すように、本体１２０、１３０の上部後方に突き出るように設けられている。そして、給紙部１１０の内部には、図２に示すように、１本のロール状の記録用紙（以下、ロール紙という）がセット可能なロール紙ホルダ１１１が設けられ、給紙部１１０の前面には、図１及び図２に示すように、跳ね上げ式の開閉可能なロール紙カバー１１２がロール紙ホルダ１１１を覆うように取り付けられている。
【００１３】
ロール紙ホルダ１１１は、図２に示すように、ロール紙を保持するスピンドル１１３及び一対のフランジ状のロール紙押さえ１１４と、給紙部１１０の両側壁内面に取り付けられて、スピンドル１１３の着脱及び懸架が可能な一対のスピンドル受け１１５を備えている。そして、スピンドル１１３は、中央にロール紙が填め込まれてロール紙押さえ１１４で挟持された状態で、両端がスピンドル受け１１５に載置され、回転可能に軸支持されるようになっている。ロール紙カバー１１２は、図１及び図２に示すように、全体が回動可能に支持されており、ユーザが下部を持って持ち上げ、あるいは押し下げることにより開閉するようになっている。
【００１４】
記録部１２０は、図２に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とをつなぐインクチューブ１２４、ロール紙を副走査方向に搬送する図示しない紙送りローラ、ロール紙の浮き上がりを防止する図示しない紙吸引手段等を備えている。そして、記録部１２０の上面及び前面には、図１及び図２に示すように、上蓋１２５及び前蓋１２６が記録ヘッド１２１やキャリッジ１２２等を覆うように取り付けられている。
【００１５】
記録ヘッド１２１は、ブラックインクを吐出するブラックインク用記録ヘッドと、ライトイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１６】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００１７】
ＦＦＣ１２３は、一端が制御部のコネクタに接続され、他端が記録ヘッド１２１のコネクタに接続されており、記録信号を制御部から記録ヘッド１２１に送るようになっている。インクチューブ１２４は、上記各色のインク用が配設されており、図示しないインク加圧供給手段を介して各一端が対応する各色のインクカートリッジ１０につながれ、各他端が対応する各色の記録ヘッド１２１につながれている。そして、インクチューブ１２４は、インク加圧供給手段によって加圧された各色のインクをインクカートリッジ１０から記録ヘッド１２１に送るようになっている。
【００１８】
前蓋１２６は、図１及び図２に示すように、下部が回動可能に支持されており、ユーザが上部を持って押し下げ、あるいは押し上げることにより開閉するようになっている。ユーザは、前蓋１２６を開けることにより記録部１２０を大きく開放することができるので、記録ヘッド１２１やキャリッジ１２２等のメンテナンス作業を容易に行うことができる。
【００１９】
排紙部１３０は、図１及び図２に示すように、ロール紙を副走査方向に搬送する経路の一部を成す排紙ガイド１３１と、ロール紙を副走査方向に搬送する図示しない排紙ローラを備えている。排紙ガイド１３１は、前面側に突き出た平坦な傾斜面として形成されており、上方から搬送されてくるロール紙を下方へスムーズに導くことができるようになっている。
【００２０】
脚部１４０は、図１及び図２に示すように、移動用のコロ１４１を有する２本の支持柱１４２と、これらの支持柱１４２の間に掛け渡されている補強棒１４３を備えている。そして、支持柱１４２の上部に給紙部１１０及び本体１２０、１３０が載置されネジ止め固定されるようになっている。支持柱１４２に移動用のコロ１４１が配設されていることにより、重量のある給紙部１１０及び本体１２０、１３０を所望の位置へスムーズに移動させて設置することができるようになっている。なお、この脚部１４０の支持柱１４２の間には、排紙部１３０から排出されるロール紙を受ける排紙受け装置を設置することができるようになっている。
【００２１】
さらに、本体１２０、１３０の前面側から見て左側には、図１及び図２に示すように、各色のインクカートリッジ１０を収納保持するホルダ本体１５１とその前面を覆うカバー１５２を有するインクカートリッジホルダ１５０が配設されている。このインクカートリッジホルダ１５０は、ホルダ本体１５１に対しカバー１５２の下部が回動可能に支持されており、ユーザが上部を持って押し下げ、あるいは押し上げることにより開閉するようになっている。
【００２２】
また、本体１２０、１３０の前面側から見て右側上部には、図１及び図２に示すように、ユーザが記録制御等を操作するための操作パネル１６０が配設されている。この操作パネル１６０は、液晶画面と各種ボタンが配設されており、ユーザが液晶画面を見て確認しながらボタン操作できるようになっている。
【００２３】
このような構成において、インクジェット式プリンタ１００を使用する場合は、先ず、給紙部１１０からロール紙ホルダ１１１を構成するスピンドル１１３を取り出し、図３に示すように、スピンドル１１３に挿入されている一方のロール紙押さえ１１４をスピンドル１１３の一端から引き抜く。
【００２４】
そして、図４に示すように、スピンドル１１３の一端をロール紙Ｒの軸穴Ｃの一端から挿入して貫通させ、図５に示すように、ロール紙Ｒの軸穴Ｃの一端をスピンドル１１３の他端側に挿入固定されている他方のロール紙押さえ１１４にはめ込んで当接させる。続いて、一方のロール紙押さえ１１４をスピンドル１１３の一端から挿入して、ロール紙Ｒの軸穴Ｃの他端に填め込む。これにより、ロール紙Ｒはスピンドル１１３と共に回転可能となる。
【００２５】
次に、図６に示すように、ロール紙Ｒが挿入されたスピンドル１１３の両端を持って給紙部１１０まで持ち上げる。ここで、図７に示すように、スピンドル受け１１５には、スピンドル１１３の端部を一時的に載置するための比較的浅い窪み１１５ａと、スピンドル１１３の端部を回転可能に軸支するための比較的深い窪み１１５ｂが前後に並設されている。手前の窪み１１５ａは、重量のあるロール紙Ｒが挿入されたスピンドル１１３を正規の窪み１１５ｂに一時に填め込む作業は困難性が伴うために、仮置きをするために設けられている。
【００２６】
そこで、図７に示すように、ロール紙Ｒが挿入されたスピンドル１１３の両端部をスピンドル受け１１５の仮置きの窪み１１５ａに一旦載置し、その後、図８に示すように、先ず、ロール紙Ｒが挿入されたスピンドル１１３の一端部を対応するスピンドル受け１１４の正規の窪み１１５ｂに掛け、次に、ロール紙Ｒが挿入されたスピンドル１１３の他端部を対応するスピンドル受け１１５の正規の窪み１１５ｂに掛ける。これにより、ロール紙Ｒが挿入されたスピンドル１１３を給紙部１１０に安全かつ容易にセットすることができる。
【００２７】
次に、図９に示すように、ロール紙Ｒの先端を下方に引き出して記録部１２０の搬送経路を通し、さらに図１０に示すように、排紙部１３０の搬送経路まで通す。そして、図１１に示すように、ロール紙Ｒを巻き取り方向に回転させてロール紙Ｒの先端を例えば排紙ガイド１３１に形成されているマーカＭに位置決めする。その後、インクジェット式プリンタ１００を起動して、ロール紙Ｒを副走査方向に給紙しつつ記録ヘッド１２１を主走査方向に移動させながらインク滴を吐出させ、ロール紙Ｒに所定の情報を記録して排紙する。
【００２８】
図１２は、インクカートリッジホルダ１５０の詳細を示す斜視図である。このインクカートリッジホルダ１５０は、インクジェット式プリンタ１００の本体１２０の前面左側に取り付けられたホルダ本体１５１と、このホルダ本体１５１の前面側に取り付けられたカバー１５２を備えている。ホルダ本体１５１内は、インクカートリッジ１０を収納する収納部１５３と、上下方向に移動可能な制御レバー１５４が並設されている。カバー１５２は、下部がホルダ本体１５１の下部に回転自在に支持されており、下方に旋回してホルダ本体１５１の前面を開放し、上方に旋回してホルダ本体１５１の前面を閉塞するようになっている。
【００２９】
ホルダ本体１５１内に設けられている収納部１５３は、図示左側から順にブラック、ライトイエロー、イエロー、ライトシアン、シアン、ライトマゼンタ、マゼンタの計７色のインクカートリッジ１０Ｂ、１０ＬＹ、１０Ｙ、１０ＬＣ、１０Ｃ、１０ＬＭ、１０Ｍが個々に引き出し、押し入れ可能なように仕切られている。
【００３０】
ここで、図１３は、インクカートリッジ１０を後面側から見た斜視図である。このインクカートリッジ１０は、例えば硬質プラスチック材料で直方体状に形成された外装ケース１１内に、例えば可撓性材料で袋状に形成されて内部にインクが充填されたインクタンクが密閉されている。外装ケース１１の片側面の前面側には、インクカートリッジ１０を収納部１５３に対し引き出し、押し入れする際にユーザが手を掛ける凹状の把持部１２が形成されている。
【００３１】
従来のインクカートリッジホルダのホルダ本体内には、例えば６色のインクカートリッジのみが収納されており、スペースは比較的余裕があったため、インクカートリッジを収納部に対し引き出し、押し入れする際にユーザがホルダ本体内に手を入れて作業をすることができた。ところが、本実施形態では、従来と同一サイズのインクカートリッジホルダ１５０のホルダ本体１５１内に、７色のインクカートリッジ１０を収納する収納部１５３と制御レバー１５４を並設する必要があるため、スペースに余裕が無くなっている。そこで、上記凹状の把持部１２をインクカートリッジ１０に形成することにより、インクカートリッジ１０を収納部１５３に対し引き出し、押し入れする作業を容易に行うことができる。
【００３２】
外装ケース１１の後面中央部には、内部のインクタンクに接続されたゴムパッキングで覆われたインク供給口１３が形成され、その上下両側には、このインクカートリッジ１０を収納部１５３に対し押し入れるときに位置決めするための位置決め穴１４が形成されている。さらに、外装ケース１１の後面上部には、窪み１５が形成され、その内部にはこのインクカートリッジ１０のインク情報、例えば製造番号、インクの色や残量等が読み書きされるＩＣ１６が貼付されている。さらに、外装ケース１１の上面中央部には、このインクカートリッジ１０を収納部１５３に収納したときに係止するための係止突起１７が形成されている。
【００３３】
図１４は、ホルダ本体１５１における１色分のインクカートリッジ１０の収納部１５３の内部構造を示す斜視図である。収納部１５３の内側後面には、インクカートリッジ１０のインク供給口１３内に挿入されるインク供給針２１と、インクカートリッジ１０の位置決め穴１４内に挿入される位置決め針２２が、インクカートリッジ１０の引き出し、押し入れ方向に突き出るように配設されている。
【００３４】
ここで、図１５（Ａ）は、インク供給針２１の詳細を示す平面図である。このインク供給針２１は、先端側面に供給口２１ａが穿孔され、後端がインクチューブ１２４に接続されている。そして、インク供給針２１には、後端側に挿入されている圧縮バネ２３により軸方向に付勢されてインク供給針２１の先端側面に穿孔されている供給口を塞いでいる円筒状のゴム製のバルブ２４が填め込まれている。これにより、インクジェット式プリンタ１００内のインク供給系は閉じた状態を維持することができる。
【００３５】
このような構成において、図１５（Ａ）に示すように、ユーザがインクカートリッジ１０を収納部１５３内へ押し入れると、図１５（Ｂ）に示すように、インク供給針２１がインク供給口１３内に挿入されるとともに、バルブ２４がインク供給口１３のゴムパッキングに押されてインク供給針２１の後端側に押し込まれる。これにより、バルブ２４で覆われていた供給口２１ａが露出するので、インクカートリッジ１０のインクタンク内のインクは、インク供給口１３からインク供給針２１の供給口２１ａを通ってインクチューブ１２４へ供給される。
【００３６】
一方、ユーザがインクカートリッジ１０を収納部１５３から引き出すと、インク供給針２１もインク供給口１３から引き出されるので、インク供給口１３のゴムパッキングに押されていたバルブ２４は圧縮バネ２３の復元力によりインク供給針２１の先端側に押し出される。これにより、露出していた供給口２１ａは再びバルブ２４で覆われる。
【００３７】
図１４に示すように、収納部１５３の内側後面の上部には、インクカートリッジ１０のＩＣ１６と電気的に接続されるコネクタ２５が貼付されている。このコネクタ２５は上記ＦＦＣ１２３に接続されており、インクジェット式プリンタ１００の制御部はインクカートリッジ１０のＩＣ１６に対しインク情報を読み書きすることができる。さらに、収納部１５３の上面中央部には、カム１５９に連動してインクカートリッジ１０の係止突起１７に対し係止し、あるいは係止解除する係止爪１５３ｂが形成されている。
【００３８】
図１２に示すように、ホルダ本体１５１内に設けられている制御レバー１５４は、ホルダ本体１５１に縦方向に設けられたガイド溝１５１ａに沿って上下に揺動自在に配設されている。この制御レバー１５４は、上下に揺動することにより、インクカートリッジ１０に配設されているＩＣ１６に対するインク情報の書き込みを電気的に制御するとともに、インクカートリッジ１０の収納部１５３への出し入れを機械的に制御するようになっている。
【００３９】
すなわち、制御レバー１５４が最上端に位置決めされているときは、インクカートリッジ１０に配設されているＩＣ１６に対するインク情報の書き込みは禁止されているとともに、インクカートリッジ１０の収納部１５３への出し入れは可能となっている。一方、制御レバー１５４が最下端に位置決めされているときは、インクカートリッジ１０に配設されているＩＣ１６に対するインク情報の書き込みは許可されているとともに、インクカートリッジ１０の収納部１５３への出し入れは不可能となっている。
【００４０】
このような機能を有する制御レバー１５４を設けることにより、大型のインクカートリッジを使用することができるようになる。すなわち、従来は、インクカートリッジに配設されているＩＣに対するインク情報の書き込みは、インクカートリッジホルダのカバーの開閉動作で制御されていた。ところが、大型のインクカートリッジはホルダ本体にセットしたときに前面側に突き出てしまい、カバーを閉じることができないため、インクカートリッジに配設されているＩＣに対するインク情報の書き込みを制御することができなかった。
【００４１】
これに対し、本実施形態のインクカートリッジ１０に配設されているＩＣ１６に対するインク情報の書き込みは、上述したようにインクカートリッジホルダ１５０の制御レバー１５４の揺動で制御されている。このため、大型のインクカートリッジをホルダ本体１５１にセットしたときに前面側に突き出てカバー１５２を閉じることができなくても、大型のインクカートリッジに配設されているＩＣに対するインク情報の書き込みを制御することができる。
【００４２】
ところで、前述したように、このインクカートリッジホルダ１５０に収納されている各色のインクカートリッジ１０内のインクは、インク加圧供給手段によって加圧されて記録ヘッド１２１に送られるようになっている。このため、従来のインクジェット式プリンタのように水頭差を利用したインク供給手段の場合は、インクカートリッジホルダはキャリッジよりも上部に配設する必要があったが、このインクカートリッジホルダ１５０は何処に配設されてもインクを供給することができるので、配設場所を自由に設定することができる。
【００４３】
図１６は、上記ロール紙押さえ１１４とそれに取り付けられるアダプタの詳細を示す斜視図、図１７は、ロール紙押さえ１１４にアダプタを取り付けたときの詳細を示す斜視図である。ロール紙押さえ１１４は、フランジ１１４ａの一面側にロール紙の中空軸部の端部に填め込まれる軸芯１１４ｂが一体的に突出形成された構成となっている。フランジ１１４ａには、アダプタ１１９の一端面に形成された係止爪１１９ｈが係止される係止穴１１４ｃが穿設されている。
【００４４】
軸芯１１４ｂは、中空円筒状に形成されており、その外周面には、例えば内径２インチのロール紙の中空軸部の端部内への嵌入を補助するとともに、端部を内側から保持する軸方向に延びる複数のリブ１１４ｄが、円周方向に所定間隔をあけて一体形成されている。このリブ１１４ｄは、軸芯１１４ｂの外周面に一体形成された断面がＣ字形状の板バネ部１１４ｅと、この板バネ部１１４ｅの先端から突出するように一体形成された保持部１１４ｆを備えている。そして、保持部１１４ｆには、傾斜した案内面１１４ｆａと平坦な保持面１１４ｆｂが形成されている。また、各リブ１１４ｄ間には、軸方向に延びるスリット１１４ｇが形成されている。
【００４５】
このような構成によれば、保持部１１４ｆの案内面１１４ｆａが例えば内径２インチのロール紙の中空軸部の端部内周面を案内し、さらにそのときに板バネ部１１４ｅが弾性変形するので、ロール紙の中空軸部の端部への嵌入が容易となる。そして、保持部１１４ｆの保持面１１４ｆｂがロール紙の中空軸部の端部内周面を保持する際には、板バネ部１１４ｅの復元力が働くので、ロール紙の中空軸部の端部の保持が確実となる。また、ロール紙の中空軸部の内径にばらつきが生じていても、各リブ１１４ｄはスリット１１４ｇにより径方向に撓むので上記ばらつきを吸収することができる。
【００４６】
アダプタ１１９は、中空円筒状の部材であり、その外周面には、例えば内径３インチのロール紙の中空軸部の端部内への嵌入を補助するとともに、端部を内側から保持する軸方向に延びる複数のリブ１１９ｄが、円周方向に所定間隔をあけて一体形成されている。このリブ１１９ｄは、軸芯１１４ｂの外周面に一体形成された断面がＬ字形状の板バネ部１１９ｅと、この板バネ部１１９ｅの先端から突出するように一体形成された保持部１１９ｆを備えている。そして、保持部１１９ｆには、傾斜した案内面１１９ｆａと平坦な保持面１１９ｆｂが形成されている。また、このアダプタ１１９には、軸方向に延びるスリット１１９ｇが形成されている。なお、リブ１１９ｄの保持面１１９ｆｂ側の端部には、上記係止爪１１９ｈが形成されている。
【００４７】
このような構成によれば、保持部１１９ｆの案内面１１９ｆａが例えば内径３インチのロール紙の中空軸部の端部内周面を案内し、さらにそのときに板バネ部１１９ｅが弾性変形するので、ロール紙の中空軸部の端部への嵌入が容易となる。そして、保持部１１９ｆの保持面１１９ｆｂがロール紙の中空軸部の端部内周面を保持する際には、板バネ部１１９ｅの復元力が働くので、ロール紙の中空軸部の端部の保持が確実となる。また、ロール紙の中空軸部の内径にばらつきが生じていても、アダプタ１１９はスリット１１９ｇにより径方向に撓むので上記ばらつきを吸収することができるとともに、軸芯１１４ｂに対してしっかりと締め付けることができる。
【００４８】
このようなアダプタ１１９によれば、中空軸部の内径が異なるロール紙毎にロール紙押さえ１１４を揃えておく必要がなくなり、また、アダプタ１１９は少なくともロール紙押さえ１１４より小型に構成することができるので、その管理や保管が容易になる。
【００４９】
以上、本発明を種々の実施形態に関して述べたが、本発明は以上の実施形態に限られるものではなく、特許請求の範囲に記載された発明の範囲内で、他の実施形態についても適用されるのは勿論である。例えば、上述した実施形態では、記録装置としてインクジェット式プリンタを例に説明したが、これに限定されるものではなく、ロール紙が使用可能な記録装置であれば、例えばファクシミリ装置、コピー装置等であっても適用可能である。
【００５０】
【発明の効果】
以上説明したように、本発明に係るにロール状記録媒体の保持手段及び記録装置よれば、中空軸部の内径が異なるロール状記録媒体毎に保持手段の押さえ部を揃えておく必要がなくなり、また、アダプタは少なくとも押さえ部より小型に構成することができるので、その管理や保管が容易になる。
【図面の簡単な説明】
【図１】本発明の実施の形態に係る記録装置の１つであるインクジェット式プリンタの構成例を示す斜視図である。
【図２】図１のインクジェット式プリンタの主要部の内部構成例を示す斜視図である。
【図３】図１のインクジェット式プリンタの使用手順を示す第１の図である。
【図４】図１のインクジェット式プリンタの使用手順を示す第２の図である。
【図５】図１のインクジェット式プリンタの使用手順を示す第３の図である。
【図６】図１のインクジェット式プリンタの使用手順を示す第４の図である。
【図７】図１のインクジェット式プリンタの使用手順を示す第５の図である。
【図８】図１のインクジェット式プリンタの使用手順を示す第６の図である。
【図９】図１のインクジェット式プリンタの使用手順を示す第７の図である。
【図１０】図１のインクジェット式プリンタの使用手順を示す第８の図である。
【図１１】図１のインクジェット式プリンタの使用手順を示す第９の図である。
【図１２】図１のインクジェット式プリンタのインクカートリッジホルダの詳細を示す斜視図である。
【図１３】図１２のインクカートリッジホルダに装填されるインクカートリッジを後面側から見た斜視図である。
【図１４】図１２のインクカートリッジホルダのホルダ本体における１色分のインクカートリッジの収納部の内部構造を示す斜視図である。
【図１５】図１４のインクカートリッジの収納部のインク供給針の詳細を示す平面図である。
【図１６】図１のインクジェット式プリンタのロール紙押さえとそれに取り付けられるアダプタの詳細を示す斜視図である。
【図１７】図１６のロール紙押さえにアダプタを取り付けたときの詳細を示す斜視図である。
【符号の説明】
１０        インクカートリッジ
１１        外装ケース
１２        把持部
１３        インク供給口
１４        位置決め穴
１５        窪み
１６        ＩＣ
１７        係止突起
２１        インク供給針
２１ａ      供給口
２２        位置決め針
２３        圧縮バネ
２４        バルブ
２５        コネクタ
１００      インクジェット式プリンタ
１１０      給紙部
１１１      ロール紙ホルダ
１１２      ロール紙カバー
１１３      スピンドル
１１４      ロール紙押さえ
１１５      スピンドル受け
１１９      アダプタ
１２０      記録部
１２１      記録ヘッド
１２２      キャリッジ
１２３      ＦＦＣ
１２４      インクチューブ
１２５      上蓋
１２６      前蓋
１２７      レール
１２８      キャリッジベルト
１３０      排紙部
１３１      排紙ガイド
１４０      脚部
１４１      コロ
１４２      支持柱
１４３      補強棒
１５０      インクカートリッジホルダ
１５１      ホルダ本体
１５１ａ    ガイド溝
１５２      カバー
１５３      収納部
１５３ｂ    係止爪
１５４      制御レバー
１５９      カム
【図１】
0003928705.tif 000002
【図２】
0003928705.tif 000003
【図３】
0003928705.tif 000004
【図４】
0003928705.tif 000005
【図５】
0003928705.tif 000006
【図６】
0003928705.tif 000007
【図７】
0003928705.tif 000008
【図８】
0003928705.tif 000009
【図９】
0003928705.tif 000010
【図１０】
0003928705.tif 000011
【図１１】
0003928705.tif 000012
【図１２】
0003928705.tif 000013
【図１３】
0003928705.tif 000014
【図１４】
0003928705.tif 000015
【図１５】
0003928705.tif 000016
【図１６】
0003928705.tif 000017
【図１７】
0003928705.tif 000018